(57)【要約】      （修正有）【課題】平板状の石材が容易に倒壊しないようにこれを固定して高い耐震性を持たせた墓誌や歌碑を提供する。【解決手段】台石３０の上面に穿孔３１が穿設され、ステンレス製シャフト状の第１ジョイント５０を埋め込み、接着剤を注入して、強固に固着する。第１ジョイント５０は、下駄石２０の貫通孔２１を貫通し、固定プレート４０の下駄石固定孔４２も貫通して突き出し、雌ネジ５２と座金５３により、ネジ上め固定する。誌石１０の下面には穿孔１１が穿設され、第２ジョイント６０のシャフト部が埋め込まれ、接着剤を注入して、これを強固に固着する。下駄石２０の上面凹部に嵌め込むように誌石１０を乗せる。第２ジョイント６０の先端の雄ネジ６１が、固定プレート４０の誌石固定孔４１を貫通して突出し、雄ネジ６２と座金６３により、ネジ止め固定する。【選択図】図２
0003145370.tif 000002
【実用新案登録請求の範囲】
【請求項１】
戒名等の文字を彫刻する誌石と、誌石を載置する下駄石と、誌石とネジ止めにより連結するための誌石固定穴と下駄石をネジ止めにより連結するための下駄石固定穴とを穿設した固定プレートと、下駄石を載置する台石とからなることを特徴とする墓誌。
【請求項２】
前記台石の上面に穿孔を設け、その穿孔に誌石と下駄石をネジ止めにより連結するための棒状の第１ジョイントの下部を埋め込んで固定し、その第１ジョイント上部先端には雄ネジを形成し、かつ、前記下駄石に上下に貫通する貫通穴を形成し、
下駄石を台石の上に載置して前記第１ジョイントの上部を下駄石の貫通穴を貫通させて、下駄石の上部に第１ジョイントの上部先端の雄ネジを突出させ、その雄ネジを前記固定プレートの下駄石固定穴に貫通させ、この雄ネジに螺合する雌ネジで固定プレートと下駄石を締め付けて固定するとともに、
前記誌石の下面に穿孔を設け、その穿孔に誌石と下駄石をネジ止めにより連結するための棒状の第２ジョイントの下部を上向けに埋め込んで固定し、その第２ジョイント上部先端には雄ネジを形成し、
誌石を下駄石の上に載置して前記第２ジョイントの上部先端の雄ネジを下駄石に固定された固定プレートの誌石固定穴に貫通させ、この雄ネジに螺合する雌ネジで固定プレートと誌石を締め付けて固定した、
ことを特徴とする、請求項１に記載の墓誌。
【請求項３】
誌石と下駄石とをネジ止めにより連結するための、誌石固定穴と下駄石固定穴とを穿設した固定プレートと、
台石の上面に設けた穿孔に埋め込み、下駄石を上下に貫通して設けた貫通穴を貫通し、前記固定プレートの下駄石固定穴に貫通させて固定プレートと下駄石と台石をネジ止めにより連結するために、先端に雄ネジを形成した棒状の第１ジョイントと、
第１ジョイントの先端の雄ネジに螺合し、これをネジ止めするための雌ネジと、
誌石の下面に設けた穿孔に埋め込み、前記固定プレートの誌石固定穴に貫通させて誌石と下駄石をネジ止めにより連結するための棒状の第２ジョイントと、
第２ジョイントの先端の雄ネジに螺合し、これをネジ止めするための雌ネジと、
からなることを特徴とする、墓誌等の倒壊防止金具。
【考案の詳細な説明】
【技術分野】
【０００１】  本考案は、歌碑や墓誌等のような平板状の石材を台石に積み上げて連結し、地震などによる倒壊を防止するための連結金具に関するものである。
【背景技術】
【０００２】  従来、墓石については、地震などによる墓石の倒壌を防止するための技術が開発され、各種の耐震構造が提案されているが、墓誌や歌碑などの平板状の石材を、地震などによる倒壊から防止するための有効な技術は、実用化されていなかった。
【考案の開示】
【考案が解決しようとする課題】
【０００３】  そこで、本考案は、地震などの発生に際しても墓誌や歌碑などの平板状の石材が容易に倒壊しないようにこれを固定して高い耐震性を得るとともに、固定後も、必要に応じて誌石、下駄石、台石の各部材を簡単かつ容易に分離することの可能な倒壊防止金具と、この金具を用いた倒壊防止構造の墓誌や歌碑を提供することを目的とする。
【課題を解決するための手段】
【０００４】  上記課題を解決するために、本考案の請求項１に記載の墓誌は、戒名等の文字を彫刻する誌石と、誌石を載置する下駄石と、誌石とネジ止めにより連結するための誌石固定穴と下駄石をネジ止めにより連結するための下駄石固定穴とを穿設した固定プレートと、下駄石を載置する台石とからなることを特徴とする。【０００５】  また、請求項２に記載の墓誌は、請求項１に記載の墓誌であって、前記台石の上面に穿孔を設け、その穿孔に誌石と下駄石をネジ止めにより連結するための棒状の第１ジョイントの下部を埋め込んで固定し、その第１ジョイント上部先端には雄ネジを形成し、かつ、前記下駄石に上下に貫通する貫通穴を形成し、下駄石を台石の上に載置して前記第１ジョイントの上部を下駄石の貫通穴を貫通させて、下駄石の上部に第１ジョイントの上部先端の雄ネジを突出させ、その雄ネジを前記固定プレートの下駄石固定穴に貫通させ、この雄ネジに螺合する雌ネジで固定プレートと下駄石を締め付けて固定するとともに、前記誌石の下面に穿孔を設け、その穿孔に誌石と下駄石をネジ止めにより連結するための棒状の第２ジョイントの下部を上向けに埋め込んで固定し、その第２ジョイント上部先端には雄ネジを形成し、誌石を下駄石の上に載置して前記第２ジョイントの上部先端の雄ネジを下駄石に固定された固定プレートの誌石固定穴に貫通させ、この雄ネジに螺合する雌ネジで固定プレートと誌石を締め付けて固定した、ことを特徴とする。【０００６】  本考案の墓誌は、上記のように構成したことにより、台石と下駄石と墓誌が強固に連結されるので、地震等の強い振動を受けても容易に倒壊することがない。また、台石と下駄石と墓誌は、それぞれネジ止めにより連結されるので、組み立てが簡単であり、この連結を外して分離することを容易である。従って、墓誌に追加彫刻する必要が生じたときには、誌石を取り外して、工場等へ運び彫刻することができる。【０００７】  また、請求項３に記載の、墓誌等の倒壊防止金具は、誌石と下駄石とをネジ止めにより連結するための、誌石固定穴と下駄石固定穴とを穿設した固定プレートと、台石の上面に設けた穿孔に埋め込み、下駄石を上下に貫通して設けた貫通穴を貫通し、前記固定プレートの下駄石固定穴に貫通させて固定プレートと下駄石と台石をネジ止めにより連結するために、先端に雄ネジを形成した棒状の第１ジョイントと、第１ジョイントの先端の雄ネジに螺合し、これをネジ止めするための雌ネジと、誌石の下面に設けた穿孔に埋め込み、前記固定プレートの誌石固定穴に貫通させて誌石と下駄石をネジ止めにより連結するための棒状の第２ジョイントと、第２ジョイントの先端の雄ネジに螺合し、これをネジ止めするための雌ネジと、からなることを特徴とする。【０００８】  本考案の墓誌等の倒壊防止金具は、上記のように、２本の棒状のジョイントの各先端に雄ネジを形成し、その雄ネジが貫通するに穴を開けた固定プレートと、各ジョイントの雄ネジに螺合する雌ネジとから構成され、この倒壊防止金具を用いることにより、墓誌等が極めて簡単に設置することができ、また、必要に応じて簡単に分解することができるものである。
また、それぞれのパーツは、極めて単純な構造であり、大量に、かつ安価に製造することができる。
【考案の効果】
【０００９】  以上に述べたように、本考案の墓誌は、台石と下駄石と墓誌が強固に連結されるので、地震等の強い振動を受けても容易に倒壊することがない。また、台石と下駄石と墓誌は、それぞれネジ止めにより連結されるので、組み立てが簡単であり、この連結を外して分離することを容易である。従って、墓誌に追加彫刻する必要が生じたときには、誌石を取り外して、工場等へ運び彫刻することができる。
また、本考案の墓誌等の倒壊防止金具は、２本の棒状のジョイントの各先端に雄ネジを形成し、その雄ネジが貫通するに穴を開けた固定プレートと、各ジョイントの雄ネジに螺合する雌ネジとから構成され、この倒壊防止金具を用いることにより、墓誌等が極めて簡単に設置することができ、また、必要に応じて簡単に分解することができるものである。
【考案を実施するための最良の形態】
【００１０】  以下、本発明の実施の形態を代表的な実施例に基づいて、図面を参照しながら詳細に説明する。図１Ａは、本考案の墓誌の正面図、図１Ｂは側面図である。図１Ａ，Ｂに示すように、台石３０の上に左右の下駄石２０，２０が載置され、その下駄石２０，２０の上に誌石１０が載置されている、台石３０は、墓誌の基台となる大きな石材で、基礎となる部分が地面７０に埋め込まれている。
図５は、従来からある一般的な墓誌の構造形態を示す斜視図である。従来の墓誌では、台石３０と下駄石２０と誌石１０との取り付けが、各石材の接合部分に接着剤を注入して貼り合わせただけのものであったり、各石材の接合部分に互いに嵌合する凹部と凸部を設けて嵌着したものが多く、接合部の強度が充分とは言えなかった。
そこで、本考案では、図２（図１Ａ中の点線で囲まれた部分の内部断面構造を示す拡大断面図）に示すように、台石３０と下駄石２０とは、ジョイントボルト（第１ジョイント）５０と固定プレート４０と雄ネジ（ナット）５２とにより強固にネジ止め固定し、下駄石２０と誌石１０とは、ジョイントボルト（第２ジョイント）６０と固定プレート４０と雄ネジ（ナット）６２とにより強固にネジ止め固定している。【００１１】  図３は、図２に示した台石３０と下駄石２０、下駄２０石と誌石１０とをそれぞれネジ止めにより固定する倒壊防止金具の取付方法を示す分解説明図である。
まず、台石３０と下駄石２０の取付方法であるが、台石３０の上面の下駄石２０が乗る位置に穿孔３１が穿設され、その穿孔３１にはステンレス製シャフト状のジョイントボルト（第１ジョイント）５０が埋め込まれている。穿孔３０の奥行きと孔径は、丁度第１ジョイント５０の下部が挿入できる寸法に形成し、第１ジョイント５０を挿入時に穿孔３１に接着剤を注入して、これを強固に固着する。
台石３０の上には、上面に誌石１０を嵌め込み載置するための凹部２２を形成した側面凹形状の下駄石２０が乗せられ、ネジ止めにより固定される。このとき、第１ジョイント５０は、下駄石２０の貫通孔２１を貫通し、固定プレート４０の下駄石固定孔４２も貫通して突き出した第１ジョイント５０上部の雄ネジ（ボルト）５１が、下駄石２０の上面凹部２２で雌ネジ（ナット）５２と座金（ワッシャ）５３により、ネジ止め固定される。【００１２】  次に、下駄石２０と誌石１０の取付方法であるが、誌石１０の下面にはジョイントボルト（第２ジョイント）６０を埋め込むための穿孔１１が穿設され、予め第２ジョイント６０のシャフト部が埋め込まれ、固定されている。穿孔１１の奥行きと孔径は、丁度第２ジョイント６０のシャフト部が挿入できる寸法に形成し、第２ジョイント６０を挿入時に穿孔１１に接着剤を注入して、これを強固に固着する。
そして、下駄石２０の上面凹部２２に嵌め込むように誌石１０を乗せる。このとき、第２ジョイント６０の先端の雄ネジ（ボルト）６１が、固定プレート４０の誌石固定孔４１を貫通して突出するので、雄ネジ（ナット）６２と座金（ワッシャ）６３により、ネジ止め固定する。このとき、下駄石２０の上面凹部２２上に第１ジョイント５０の先端の雄ネジ（ボルト）５１と雌ネジ（ナット）５２が突出しているので、この上に乗る誌石１０の下面に予め凹穴１２を設けて、誌石１０を下駄石２０の上面凹部２２に嵌め込んで乗せるときに、第１ジョイント５０の先端の雄ネジ（ボルト）５１と雌ネジ（ナット）５２を誌石１０の凹穴１２に収容して邪魔にならないようにしている。
以上に述べたように、台石３０と下駄石２０と誌石１０は、強固に取り付け固定されて組み立てられ、逆の順序で分解することが可能である。【００１３】  本実施例では、第１ジョイント５０は、直径約１２ｍｍ、軸長約２０ｃｍのステンレス製のシャフト（丸棒）で、先端部に約３０ｍｍのＭ１２の雄ネジ（ボルト）５１を形成したものである。この第１ジョイント５０の雄ネジ５１に螺合する雌ネジ（ナット）５２は、ステンレス製のＭ１２のナットである。第１ジョイント５０の雄ネジ５１に、下駄石２０の上面凹部２２で、固定プレート４０を挟み込むようにして、座金（ワッシャ）５３を挿入して、雌ネジ（ナット）５２でネジ止めする。本実施例では、雌ネジ（ネット）５２と座金（ワッシャ）５３とは、別個のものを示したが、ナットと座金を一体化した座金付きナットを用いてもよい。【００１４】  また、第２ジョイント６０は、直径約８ｍｍ、軸長約５ｃｍのステンレス製のシャフト（丸棒）で、先端部に約２０ｍｍのＭ８の雄ネジ（ボルト）６１を形成したものである。この第２ジョイント６０の雄ネジ６１に螺合する雌ネジ（ナット）６２は、ステンレス製のＭ８のナットである。誌石１０の下面部で、第２ジョイント６０の雄ネジ６１に、固定プレート４０を挟み込むようにして、座金（ワッシャ）６３を挿入して、雌ネジ（ナット）６２でネジ止めする、第２ジョイント６０は、上記のものを用いたが、コンクリート打ち込み用のアンカーボルトを用いてもよい。また、雌ネジ（ネット）６２と座金（ワッシャ）６３とは、別個のものを示したが、ナットと座金を一体化した座金付きナットを用いてもよい。【００１５】  図４は、固定プレート４０の形状を示す斜視図である。本実施例に用いた固定プレート４０は、ステンレス製の巾４０ｍｍ×長さ１３０ｍｍ×厚さ３ｍｍの板材で、穴径１４ｍｍの下駄石固定穴４２と、巾１０ｍｍ×長さ４０ｍｍの溝状の誌石固定穴４１を形成したものである。誌石固定穴４１をこのように横長の溝状にしたのは、第２ジョイント６０の誌石１０への固着位置（穿孔１０の位置）に応じて、ある程度の位置ずれ等に対応するためである。【００１６】  なお本考案は、墓誌やその石材連結金具だけでなく、その他の石材を積み上げて構成される構築物、例えば歌碑や記念碑等にも同様にして適用することができる。
【図面の簡単な説明】
【００１７】
【図１】本考案の墓誌の正面図（Ａ）、及び、左側面図（Ｂ）である。
【図２】図１Ａ中の点線で囲まれた部分の内部断面構造を示す拡大断面図である。
【図３】本考案の墓誌の倒壊防止金具の取付方法を示す分解説明図である。
【図４】固定プレートの形状を示す斜視図である。
【図５】従来の墓誌の形態を示す斜視図である。
【符号の説明】
【００１８】    １０    誌石
１１    穿孔
１２    凹穴
２０    下駄石
２１    貫通穴
２２    上面凹部
３０    台石
３１    穿孔
４０    固定プレート
４１    誌石固定穴
４２    下駄石固定穴
５０    第１ジョイント
５１    雄ネジ（ボルト）
５２    雌ネジ（ナット）
５３    座金（ワッシャ）
６０    第２ジョイント
６１    雄ネジ（ナット）
６２    雌ネジ（ナット）
６３    座金（ワッシャ）
７０    地面
【図１】
0003145370.tif 000003
【図２】
0003145370.tif 000004
【図３】
0003145370.tif 000005
【図４】
0003145370.tif 000006
【図５】
0003145370.tif 000007